(57)【要約】【課題】簡単、確実かつ衛生的に、何回でも糞を収集することができる糞収集具を提供する。【解決手段】上部開口部２と底部開口部３とを有する本体１と、底部開口部３を閉じる向きに付勢する板状ばね体４とから構成した。また、本体１の外側に袋体７を係止するスナップボタン６を設けた。さらに、本体１に把持部９を設けた。本体１の下方から別に用意した防水性の袋体７を被せ、この袋体７の底部を折り返して底部開口部３から本体１内へ収容しておき、糞１１を収集する際には上部開口部２から手１０を入れて底部開口部３を板状ばね体４の付勢に抗して開け、袋体７を介して手１０で糞をつかんで袋体７の底部ごと糞１１を本体内に回収することによって、簡単、確実かつ衛生的に、何回でも糞を収集することができる。【選択図】　　図１
2004033048.tif 000002
【特許請求の範囲】
【請求項１】
上部開口部と底部開口部とを有する本体と、前記底部開口部を閉じる向きに付勢する板状ばね体とから構成されたことを特徴とする糞収集具。
【請求項２】
前記本体の外側に袋体を係止する袋体係止手段を設けたことを特徴とする請求項１記載の糞収集具。
【請求項３】
前記本体に把持部を設けたことを特徴とする請求項１又は２記載の糞収集具。
【発明の詳細な説明】
【０００１】
【発明の属する技術分野】
本発明は、犬などの糞を収集する糞収集具に関する。
【０００２】
【発明が解決しようとする課題】
従来、犬が散歩中にした糞は、スコップで拾ってビニール袋に収集して持ち帰るのが一般的であった。しかしながら、この場合、散歩中に糞の付着したスコップを持ち歩かなければならないので衛生的に好ましくなく、さらには、使用後のスコップを洗浄しなければならないなど、後始末が面倒であった。
【０００３】
このような問題を解決するものとして、特開２００１−２６９０７６号公報には、適度な力で変形可能な剛性を有する厚紙等の帯体が二つ折りされた形状の内枠部材と、この内枠部材が開口部内側に設けられている袋体とから成り、内枠部材の一方の端部には、袋体の開口部外側に突出したヘラ部が設けられ、ヘラ部は使用後に袋体内に落下可能に設けられたペット用糞処理袋が開示されている。しかしながら、このペット用糞処理袋によれば、糞を収集する際に内枠部材に設けられたヘラ部を糞の下に差し込んでからヘラ部を上に向けて糞を袋体の中に落すものであり、ヘラ部を上手く糞の下に差し込むことができない場合には糞を収集できないという問題があった。また、糞を収集した後内枠部材を袋体の中に落下させるため、糞の収集に一回しか用いることができないという問題があった。
【０００４】
そこで本発明は、上記の欠点を克服し、簡単、確実かつ衛生的に、何回でも糞を収集することができる糞収集具を提供することを目的とする。
【０００５】
【課題を解決するための手段】
本発明の請求項１記載の糞収集具によれば、上部開口部と底部開口部とを有する本体と、前記底部開口部を閉じる向きに付勢する板状ばね体とから構成されたので、本体の下方から袋体を被せ、この袋体の底部を折り返して底部開口部から本体内へ収容しておき、糞を収集する際には上部開口部から手を入れて底部開口部を板状ばね体の付勢に抗して開け、袋体を介して手で糞をつかんで袋体の底部ごと糞を本体内に回収することによって、簡単、確実かつ衛生的に、何回でも糞を収集することができる。また、板状ばね体が底部開口部を閉じる向きに付勢されているので、収集した糞が落下してしまう虞もない。
【０００６】
また、本発明の請求項２記載の糞収集具によれば、前記請求項１において、前記本体の外側に袋体を係止する袋体係止手段を設けたので、袋体が本体から脱落することを確実に防止することができる。
【０００７】
さらに、本発明の請求項３記載の糞収集具によれば、前記請求項１又は２において、前記本体に把持部を設けたので、持ち歩く際の利便性を向上させることができる。
【０００８】
【発明の実施形態】
以下、本発明の糞収集具の一実施例について、図１〜図４を参照しながら説明する。なお、図１及び図２において図面に表されていない背面側も、それぞれ図１及び図２に表された正面側と同様に表れる。
【０００９】
１は本体であり、上部開口部２と底部開口部３を有している。この本体１は、片面に樹脂による防水加工が施された略長方形状の同じ大きさの２枚の布材１ａ，１ｂの左右の二辺をそれぞれ縫い合わせることによって形成されている。また、本体１を形成する布材１ａ，１ｂの防水加工が施された面は本体１の内側になっており、本体１は上下方向に貫通している。
【００１０】
本体１の底部開口部３には、板状ばね体４が設けられている。この板状ばね体４は、帯状の２枚の板状ばね材４ａ，４ｂの両端を２つのヒンジ部材５で固定することによって構成され、布材１ａ，１ｂの下部を内側に折り返した部分に縫い込まれることによって、本体１の底部開口部３に固定されている。そして、板状ばね材４ａ，４ｂは曲げようとする力に抗して平坦になるように形成されている。すなわち、板状ばね体４は２つのヒンジ部材５を両端として、底部開口部３を閉じる向きに付勢されている。
【００１１】
布材１ａ，１ｂの外側の中央よりもやや上寄りの部分には、それぞれ２つの袋体係止手段たるスナップボタン６が設けられている。そして、本体１の下方から被せたビニール袋等の袋体７の開口部近傍をスナップボタン６の雄体６ａと雌体６ｂとで挟むことで、袋体７を本体１に着脱自在に係止できるようになっている。なお、スナップボタン６の一方たる雄体６ａは本体１に直接固定され、他方たる雌体６ｂは、布製の帯状体８の下端に設けられている。そして、この帯状体８の上端は、本体１の外側上端に縫い付けられて固定されている。
【００１２】
また、本体１の上部には、帯状体８と一体に同一の素材で形成された帯状の把持部９が設けられている。把持部９の両端は、本体１の布体１ａ，１ｂの外側上端にそれぞれ縫い付けられて固定されている。そして、この把持部９を把持して本体１を持ち運び可能に構成されている。
【００１３】
つぎに、作用について説明する。はじめに、本体１の下方から、本体１よりも上下方向に十分長いビニール袋、ポリエチレン袋などの袋体７を被せる。なお、この袋体７は防水性であれば何でもよいが、本体１の上下方向の長さの２倍程度の長さを有し、なるべく柔らかくて薄いものが好ましい。つぎに、袋体７の開口部近傍を４つのスナップボタン６の雄体６ａと雌体６ｂとで挟んで、袋体７を本体１に係止し、固定する。そして、袋体７の下部を底部開口部３から本体１の内部に収容する。
【００１４】
使用する際は、本体１の上部開口部２より手１０を差し入れ、板状ばね体４に抗して底部開口部３を開けて手１０に本体１を通す。すると、袋体７の下部も手１０と一緒に底部開口部３から本体１の下方に出て、袋体７が手１０に被さった状態になる。この状態で、手１０で糞１１を掴み、そのまま手１０を本体１内に引っ込める。すると、本体１の底部開口部３は板状ばね体４の作用により閉じ、糞１１は袋体７の下部に包まれた状態で本体１内に収容される。これで１回の糞収集が終了する。なお、必要に応じて、同様な方法で、複数回の糞収集を行うことも可能である。
【００１５】
収集した糞１１を廃棄する際は、上部開口部２から本体１内へ手１０を入れて底部開口部３を開け、糞１１をトイレなどに流す。そして、袋体７を本体１から取り外して廃棄する。なお、この取り外しの際、袋体７の開口部を裏返しするように取り外せば、袋体７に付着した糞１１の残骸は袋体７の内側となり、手１０などを汚す心配がない。
【００１６】
以上のように、本実施例の糞収集具によれば、上部開口部２と底部開口部３とを有する本体１と、前記底部開口部３を閉じる向きに付勢する板状ばね体４とから構成されたものである。
【００１７】
上記の構成によれば、本体１の下方から別に用意した防水性の袋体７を被せ、この袋体７の底部を折り返して底部開口部３から本体１内へ収容しておき、糞１１を収集する際には上部開口部２から手１０を入れて底部開口部３を板状ばね体４の付勢に抗して開け、袋体７を介して手１０で糞をつかんで袋体７の底部ごと糞１１を本体内に回収することによって、簡単に糞を収集することができる。また、板状ばね体４が底部開口部３を閉じる向きに付勢されているので、収集した糞が落下してしまう虞がなく、確実に糞を収集することができる。さらに、糞収集の際には防水性の袋体７を介して手１０で糞１１を掴むため手１０を汚すことがなく、糞収集後は糞１１が袋体７に包まれた状態で本体１内に収容されるため本体１は汚れず、衛生的に糞を収集することができる。また、底部開口部３は閉じる向きに付勢されているので、繰り返し何回でも糞を収集することができる。また、底部開口部３が閉じる向きに付勢されているので、糞１１の異臭を外部に漏れにくくすることができる。さらに、収集した糞１１を廃棄する際は、上部開口部２から本体１内へ手１０を入れて底部開口部３を開け、糞１１をトイレなどに流すだけで、簡単に糞を廃棄することができる。
【００１８】
また、前記本体１の外側に袋体７を係止する袋体係止手段たるスナップボタン６を設けたものである。
【００１９】
上記の構成によれば、スナップボタン６によって袋体７を本体１に係止し、袋体７が本体１から脱落することを確実に防止することができる。
【００２０】
また、前記本体１に把持部９を設けたものである。
【００２１】
上記の構成によれば、把持部９を把持して持ち歩くことができるので、持ち歩く際の利便性を向上させることができる。
【００２２】
また、本実施例では、本体１の内側は防水加工が施されているので、万が一、袋体７に穴が開いたなどして本体１の内側が汚れても、拭き取るだけで簡単に清浄することができる。また、本体１を美しい模様などをあしらった布材を用いて構成すれば、美観に優れ、透明な袋体７を使用すれば、他人に糞収集具であると気付かれずに持ち歩くことができる。また、帯状体８と一体に同一の素材で帯状の把持部９を形成しているので、製造時の部品点数が少なく、製造コストを抑えることができる。さらに、袋体７は、一般に市販されているものやスーパーマーケットの袋など、防水性のものであれば何でも使用することができるので、利便性に優れる。
【００２３】
本発明は上記実施例に限定されるものではなく、本発明の要旨の範囲において種々の変形実施が可能である。例えば、本実施例は本体を片面に樹脂による防水加工が施された布によって構成したが、これに限らず、樹脂や防水紙などで構成してもよい。また、袋体係止手段にスナップボタンを用いたが、袋体を係止できるどのような手段を用いてもよい。また、把持部は帯状としたが、これに限らず、本体の上部の前後方向又は左右方向に手を差し入れることのできる開口部を形成し、これを把持部としてもよい。
【００２４】
【発明の効果】
本発明の請求項１記載の糞収集具によれば、上部開口部と底部開口部とを有する本体と、前記底部開口部を閉じる向きに付勢する板状ばね体とから構成されたので、本体の下方から袋体を被せ、この袋体の底部を折り返して底部開口部から本体内へ収容しておき、糞を収集する際には上部開口部から手を入れて底部開口部を板状ばね体の付勢に抗して開け、袋体を介して手で糞をつかんで袋体の底部ごと糞を本体内に回収することによって、簡単、確実かつ衛生的に、何回でも糞を収集することができる。また、板状ばね体が底部開口部を閉じる向きに付勢されているので、収集した糞が落下してしまう虞もない。
【００２５】
本発明の請求項２記載の糞収集具によれば、前記請求項１において、前記本体の外側に袋体を係止する袋体係止手段を設けたので、袋体が本体から脱落することを確実に防止することができる。
【００２６】
本発明の請求項３記載の糞収集具によれば、前記請求項１又は２において、前記本体に把持部を設けたので、持ち歩く際の利便性を向上させることができる。
【図面の簡単な説明】
【図１】本発明の糞収集具の一実施例を示す正面図である。
【図２】同上ビニール袋の装着の様子を示す正面図である。
【図３】同上糞収集時の様子を示す斜視図である。
【図４】同上糞収集後の様子を示す斜視図である。
【符号の説明】
１　本体
２　上部開口部
３　底部開口部
４　板状ばね体
６　スナップボタン（袋体係止手段）
７　袋体
９　把持部
【図１】
2004033048.tif 000003
【図２】
2004033048.tif 000004
【図３】
2004033048.tif 000005
【図４】
2004033048.tif 000006